(57)【要約】  【課題】  簡易な構成で、かつ、空きスペースを利用して、コードを収納でき、しかも、コードを収納するための部材により、強度の補強を図ることができるメンブレンスイッチを備える電子機器を提供することである。  【解決手段】  下側ハウジング３２には、平たい直方体状に凹んだ凹部２４が形成される。凹部２４は、上側ハウジング３０に設けられたキーボード３が配置される領域に対応して設けられる。凹部２４の底面には、２つの捲き付け部材２０が取り付けられる。不使用時は、ＡＶケーブル１００を、２つの捲き付け部材２０に捲き付けることによって、ＡＶケーブル１００を凹部２４に収納する。捲き付け部材２０は、予期しない力がキーボード３に加えられたときの補強材としても機能する。【選択図】  図４
0003121684.tif 000002
【実用新案登録請求の範囲】
【請求項１】
メンブレンスイッチ及びそのメンブレンスイッチを覆うユーザによる操作面を含む入力部と、
少なくとも一方の面が平坦であり、前記入力部の直下に配置され、平坦な前記面に前記入力部を配置及び支持する支持部と、
前記支持部のうち、前記入力部が配置された前記面の反対面が、外部に露出するように、前記支持部を支持する底面部と、を備え、
前記底面部は、平坦面を有し、その平坦面と前記支持部の前記反対面との間には段差が形成され、
前記底面部の前記平坦面と前記支持部の前記反対面との間に形成される壁面にコードの基端が固定され、
前記支持部の前記反対面には、前記コードを捲き付けるための捲き付け部材が固定され、側面視において、前記捲き付け部材の先端が、前記底面部の前記平坦面を含む仮想平面と一致するように、又は、その仮想平面を横切らないようになされている、電子機器。
【請求項２】
前記底面部の前記平坦面の所定箇所には、前記コードを外部に引き出すための凹部が形成される、請求項１記載の電子機器。
【請求項３】
前記捲き付け部材は、複数の部材を含み、前記支持部の前記反対面において、それぞれの部材が、それぞれに対して定められた位置に固定される、請求項１又は２記載の電子機器。
【請求項４】
前記捲き付け部材に前記コードが捲き付けられた場合に、前記捲き付け部材において、前記コードが接触する部分は、少なくとも曲面である、請求項１から３記載の電子機器。
【請求項５】
前記捲き付け部材の先端は、鍔状に張り出している、請求項１から４記載の電子機器。
【請求項６】
前記電子機器は、コンピュータプログラムに従った演算を実行し、ビデオ信号及びオーディオ信号を生成するオーディオビジュアル装置を搭載し、
前記コードは、前記オーディオビジュアル装置が生成したビデオ信号及びオーディオ信号を外部の表示装置に供給するケーブルである、請求項１から５記載の電子機器。
【考案の詳細な説明】
【技術分野】
【０００１】
本考案は、入力のためのメンブレンスイッチを備える電子機器及びその関連技術に関する。
【背景技術】
【０００２】
特開平８−３２１６８７号公報（単に、「従来文献」と呼ぶ。）には、ポータブル・コンパクトディスク・プレイヤに搭載するコード装着装置が開示されている。このコード装着装置は、機器本体に取り付けたコードを捲きつけるコード捲付けガイド部を有する。そして、このガイド部は、収納と突出とが自在なように、機器本体に搭載される。このような構成により、使用時はガイド部を収納できるので邪魔にならず、一方、不使用時はガイド部を突出させコードを巻き付けて保管可能となる。
【考案の開示】
【考案が解決しようとする課題】
【０００３】
上記従来文献は、ポータブル・コンパクトディスク・プレイヤを例に挙げているが、不使用時のコードの保管方法あるいは収納方法は、メンブレンスイッチを備える電子機器においても課題の１つとして挙げることができる。
【０００４】
そこで、本考案は、簡易な構成で、かつ、空きスペースを利用して、コードを収納でき、しかも、コードを収納するための部材により、強度の補強を図ることができるメンブレンスイッチを備える電子機器及びその関連技術を提供することを目的とする。
【課題を解決するための手段】
【０００５】
本考案の形態によると、電子機器は、メンブレンスイッチ及びそのメンブレンスイッチを覆うユーザによる操作面を含む入力部と、少なくとも一方の面が平坦であり、前記入力部の直下に配置され、平坦な前記面に前記入力部を配置及び支持する支持部と、前記支持部のうち、前記入力部が配置された前記面の反対面が、外部に露出するように、前記支持部を支持する底面部と、を備え、前記底面部は、平坦面を有し、その平坦面と前記支持部の前記反対面との間には段差が形成され、前記底面部の前記平坦面と前記支持部の前記反対面との間に形成される壁面にコードの基端が固定され、前記支持部の前記反対面には、前記コードを捲き付けるための捲き付け部材が固定され、側面視において、前記捲き付け部材の先端が、前記底面部の前記平坦面を含む仮想平面と一致するように、又は、その仮想平面を横切らないようになされている。
【０００６】
この構成によれば、ユーザの入力手段としてメンブレンスイッチを採用しているので、入力部の厚みを比較的薄くすることができる。このため、入力部と底面部との間に段差を形成できる。つまり、底面部に凹部を形成できる。この凹部の壁面で囲まれた空間は、空きスペースとなる。このように、メンブレンスイッチを備える電子機器では、空きスペースが比較的でき易い。従って、この空きスペースをコードを収納するために利用できる。本考案では、支持部の反対面に捲き付け部材が固定されているので、つまり、捲き付け部材が空きスペースに存在するので、これにコードを捲き付けることができる。従って、不使用時は、コードを空きスペースにきちんと収納できる。
【０００７】
また、入力部の操作面に予期せぬ大きな力が加えられ、入力部及び支持部が底面側に反った場合、捲き付け部材が、電子機器が載置された面に突き当たり、入力部及び支持部を支持する役割を果たす。なぜなら、捲き付け部材は、入力部を支持する支持部の反対面に固定されているからである。このような状況で、もし、捲き付け部材が設けられていないならば、加えられた力により入力部及び支持部が破損する可能性があるが、本考案では、それを極力防止できる。なお、通常の状態では、捲き付け部材は、空きスペース内に収まっているので、電子機器を安定して載置できる。
【０００８】
一般的に、メンブレンスイッチを利用すると空きスペースができ易く、強度が比較的弱いという不利益がある。ところが、本考案では、その空きスペースをコードの収納スペースとして利用し、しかも、コードの収納の便宜のための捲き付け部材を非常時の補強材として使用している。このように、メンブレンスイッチを利用することにより発生する空きスペースによる不利益を克服し、かつ、その空きスペースを有効利用している。
【０００９】
以上のように、本考案によれば、簡易な構成で、かつ、空きスペースを利用して、コードを収納でき、しかも、コードを収納するための部材により、強度の補強を図ることができる。
【００１０】
ここで、本明細書においては、コードとケーブルとを同義に用いる。
【００１１】
上記電子機器において、前記底面部の前記平坦面の所定箇所には、前記コードを外部に引き出すための凹部が形成される。この構成によれば、使用時には、底面部の凹部から、コードを外部に引き出すことができる。従って、コードの厚みにより電子機器がぐらつく等、載置状態が不安定になることを防止できる。
【００１２】
上記電子機器において、前記捲き付け部材は、複数の部材を含み、前記支持部の前記反対面において、それぞれの部材が、それぞれに対して定められた位置に固定される。
【００１３】
上記電子機器において、前記捲き付け部材に前記コードが捲き付けられた場合に、前記捲き付け部材において、前記コードが接触する部分は、少なくとも曲面である。
【００１４】
上記電子機器において、前記捲き付け部材の先端は、鍔状に張り出している。この構成によれば、捲き付け部材が載置面に接触したときに、鍔状の部分が、緩衝材として働く。
【００１５】
上記電子機器は、コンピュータプログラムに従った演算を実行し、ビデオ信号及びオーディオ信号を生成するオーディオビジュアル装置を搭載し、前記コードは、前記オーディオビジュアル装置が生成したビデオ信号及びオーディオ信号を外部の表示装置に供給するケーブルである。
【考案を実施するための最良の形態】
【００１６】
以下、本考案の実施の形態について、図面を参照しながら説明する。なお、図中、同一または相当部分については同一の参照符号を付してその説明を援用する。
【００１７】
図１は、本考案の実施の形態における知育システムの全体構成を示す図である。図１に示すように、この知育システムは、知育装置１及びテレビジョンモニタ２００を備える。知育装置１とテレビジョンモニタ２００とはＡＶケーブル１００により接続される。知育装置１には、図示しないＡＣアダプタにより、直流電源電圧が与えられる。ただし、ＡＣアダプタに代えて、後述の電池ボックス２２に電池をセットして、電池により、直流電源電圧を与えることもできる。
【００１８】
図２は、図１の知育装置１の平面図である。図２に示すように、知育装置１の表面には、キーボード３、レバースイッチ５、ハンドルスイッチ７、キャンセルキー９、決定キー１１、及び電源スイッチ１３が設けられる。持ち運びの便宜のために、ハンドル１５が形成される。
【００１９】
キーボード３の表面は、平坦な操作面となっており、各種キーを示す印刷が施されている。ユーザは、所望のキーを押下して、文字や数字を入力することができる。また、キーボード３は、文字の書き順を表示するときに使用するキー、表示中のイラストや文字を変えるときに使用するキー、メニュー画面に戻るときに使用するキー、クイズ等でヒントを見るとき等に使用するキー、及び表示中のイラストを動かすとき等に使用するキーを含む。レバースイッチ５は、表示中のイラストを上下方向に回転する場合等に使用される。ハンドルスイッチ７は、表示中のイラストを左右方向に回転する場合等に使用される。
【００２０】
図３は、図１の知育装置の電気的構成を示す図である。図３に示すように、知育装置１は、キーボード３、操作スイッチ１４、マルチメディアプロセッサ５０、ＲＯＭ（ｒｅａｄ  ｏｎｌｙ  ｍｅｍｏｒｙ）５２、及びバス５４を含む。キーボード３は、メンブレンスイッチ４により構成される。メンブレンスイッチ４は、シートスイッチとも呼ばれ、薄いシート状のスイッチである。メンブレンスイッチ４は、複数のキーにより、キーマトリクスを構成している。操作スイッチ１４は、レバースイッチ５、ハンドルスイッチ７、キャンセルキー９、及び決定キー１１を含む。
【００２１】
マルチメディアプロセッサ５０は、バス５４を通じて、ＲＯＭ５２にアクセスできる。従って、マルチメディアプロセッサ５０は、ＲＯＭ５２に格納されたプログラムを実行でき、また、ＲＯＭ５２に格納されたデータをリードして処理することができる。このＲＯＭ５２に、プログラム、画像データ、フォントデータ及び音声データ等が予め格納される。
【００２２】
マルチメディアプロセッサ５０は、図示しないが、中央演算処理装置（以下、「ＣＰＵ」と呼ぶ。）、グラフィックスプロセシングユニット（以下、「ＧＰＵ」と呼ぶ。）、サウンドプロセシングユニット（以下、「ＳＰＵ」と呼ぶ。）、ジオメトリエンジン（以下、「ＧＥ」と呼ぶ。）、外部インタフェースブロック、メインＲＡＭ、及びＡ／Ｄコンバータ（以下、「ＡＤＣ」と呼ぶ。）などを具備する。
【００２３】
ＣＰＵは、ＲＯＭ５２に格納されたプログラムを実行して、各種演算やシステム全体の制御を行う。グラフィックス処理に関するＣＰＵの処理として、ＲＯＭ５２に格納されたプログラムを実行して、各オブジェクト及び各スプライトの拡大・縮小、回転、及び／又は平行移動のパラメータ、視点座標（カメラ座標）、並びに視線ベクトルの算出等を行う。ここで、１または複数のポリゴン又はスプライトから構成され、同じ拡大・縮小、回転、及び平行移動の変換が適用される単位を「オブジェクト」と呼ぶ。
【００２４】
ＧＰＵは、ポリゴン及びスプライトから構成される三次元イメージをリアルタイムに生成し、アナログのコンポジットビデオ信号に変換する。ＳＰＵは、ＰＣＭ（ｐｕｌｓｅ  ｃｏｄｅ  ｍｏｄｕｌａｔｉｏｎ）波形データ、アンプリチュードデータ、及びメインボリュームデータを生成し、これらをアナログ乗算して、アナログオーディオ信号を生成する。ＧＥは、三次元イメージを表示するための幾何演算を実行する。具体的には、ＧＥは、行列積、ベクトルアフィン変換、ベクトル直交変換、透視投影変換、頂点明度／ポリゴン明度計算（ベクトル内積）、及びポリゴン裏面カリング処理（ベクトル外積）などの演算を実行する。
【００２５】
外部インタフェースブロックは、周辺装置（本実施の形態では、キーボード３及び操作スイッチ１４）とのインタフェースであり、２４チャンネルのプログラマブルなデジタル入出力（Ｉ／Ｏ）ポートを含む。ＡＤＣは、４チャンネルのアナログ入力ポートに接続され、これらを介して、アナログ入力装置から入力されたアナログ信号をデジタル信号に変換する。メインＲＡＭは、ＣＰＵのワーク領域、変数格納領域、および仮想記憶機構管理領域等として利用される。
【００２６】
マルチメディアプロセッサ５０は、メンブレンスイッチ４及び操作スイッチ１４から、ユーザによる入力信号を受け取って、プログラムに従って、各種演算、グラフィック処理、及びサウンド処理を実行し、ビデオ信号およびオーディオ信号を生成する。マルチメディアプロセッサ５０が生成したビデオ信号およびオーディオ信号は、ＡＶケーブル１００を介して、テレビジョンモニタ２００に与えられ、応じて、テレビジョンモニタ２００に映像が表示され、そのスピーカ（図示せず）から音声が出力される。
【００２７】
次に、ＡＶケーブル１００の収納方法を説明する。
【００２８】
図４は、図１の知育装置１の捲き付け部材２０にＡＶケーブル１００を巻きつけた状態を示す底面図である。図５は、図１の知育装置１の捲き付け部材２０からＡＶケーブル１００をほどいた状態を示す底面図である。
【００２９】
図４及び図５を参照して、知育装置１の下側ハウジング３２は、略コ字状（図４参考）の平坦面と、その平坦面と段違いの帯状の平坦面（ハンドル１５に近接）と、を有する。図４及び図５では、帯状の平坦面は、略コ字状の平坦面に対して、低くなっている。このように段差を設けて、ＡＶケーブル１００を外部に引き出すための引き出し口２６を形成する。略コ字状の平坦面には、４個のゴム製の滑り止め３４が取り付けられる。滑り止め３４は、円板状で一定の厚みを持っている。
【００３０】
下側ハウジング３２には、上記の平坦面に囲まれて、平たい直方体状に凹んだ凹部２４が形成される。この凹部２４は、上側ハウジング３０に設けられたキーボード３が配置される領域に対応して設けられる。従って、凹部２４は、平面視において、長方形状であり、その底面は、略長方形の平坦面となっている。凹部２４の底面の裏側には、メンブレンスイッチ４が配置されており、それ故、凹部２４の底面は、キーボード３を支持する支持部として機能する。
【００３１】
また、凹部２４の底面には、その一方長辺（壁面）に沿って、平たい直方体状の電池ボックス２２が取り付けられる。さらに、凹部２４の壁面には、ＡＶケーブル１００の基端が固定され、かつ、図示しない電源ケーブルのプラグが装着される電源ジャック２７が形成される。
【００３２】
さらに、凹部２４の底面の中央付近には、その長辺に平行に並んで、２つの捲き付け部材２０が取り付けられる。捲き付け部材２０は、円柱状に形成され、その先端は、鍔状に張り出している。以下、鍔状に張り出している部分を鍔部と呼ぶ。
【００３３】
図４に示すように、不使用時は、ＡＶケーブル１００を、２つの捲き付け部材２０に捲き付けることによって、ＡＶケーブル１００を凹部２４に収納する。
【００３４】
一方、図５に示すように、使用時は、捲き付け部材２０に捲き付けられたＡＶケーブル１００をほどく。そして、ＡＶケーブル１００を引き出し口２６から引き出し、ＡＶケーブル１００の先端に取り付けられたプラグを、テレビジョンモニタ２００のジャックに差し込む。
【００３５】
次に、側面図を用いて、引き出し口２６及び捲き付け部材２０について詳しく説明する。
【００３６】
図６は、図１の知育装置１のハンドル１５側の側面図である。図６から分かるように、下側ハウジング３２の略コ字状の平坦面と帯状の平坦面との段差Ｄによって、引き出し口２６が形成される。この段差Ｄは、ＡＶケーブル１００の直径より大きい。従って、引き出し口２６からＡＶケーブル１００を引き出す限り、ＡＶケーブル１００を内部から外部に引き出したことに起因して、知育装置１がぐらつく等、不安定な状態で載置されることを防止できる。同様に、電源ケーブルを使用するときは、電源ジャック２７に装着した電源ケーブルを外部に引き出す必要があるが、この場合も、電源ケーブルをＡＶケーブル１００と共に、引き出し口２６から引き出すことにより、知育装置１が不安定な状態で載置されることを防止できる。当然、段差Ｄは、電源ケーブルの直径より大きい。
【００３７】
また、捲き付け部材２０の鍔部と、下側ハウジング３２の略コ字状の平坦面と、は実質的に同一の仮想平面Ｐ１に含まれる。従って、図６の状態、つまり、知育装置１の載置状態において、両者の床面からの高さは実質同一である。但し、捲き付け部材２０の鍔部を含む仮想平面Ｐ１は、滑り止め３４の床面との接地面を含む仮想平面Ｐ２とは一致せず、知育装置１の載置状態において、仮想平面Ｐ２より上に位置する。本実施の形態では、捲き付け部材２０は、凹部２４内に収まっており、そこから突き出ていない。同様に、電池ボックス２２も凹部２４内に収まっている。
【００３８】
さて、以上のように、本実施の形態によれば、キーボード３としてメンブレンスイッチ４を採用しているので、キーボード３の厚みを比較的薄くすることができる。このため、下側ハウジング３２に凹部２４を形成できる。この凹部２４の壁面で囲まれた空間は、空きスペースである。このように、メンブレンスイッチ４を備える電子機器では、空きスペースが比較的でき易い。従って、この空きスペースをＡＶケーブル１００を収納するために利用できる。本実施の形態では、凹部２４に捲き付け部材２０が固定されているので、つまり、捲き付け部材２０が空きスペースに存在するので、これにＡＶケーブル１００を捲き付けることができる。従って、不使用時は、ＡＶケーブル１００を空きスペースにきちんと収納できる。
【００３９】
また、キーボード３に予期せぬ大きな力が加えられ、例えば、キーボード３が踏み付けられ、キーボード３が底面側に反った場合、捲き付け部材２０が床面に突き当たり、キーボード３を支持する役割を果たす。このような状況で、もし、捲き付け部材２０が設けられていないならば、加えられた力によりキーボード３が破損する可能性があるが、本実施の形態では、それを極力防止できる。また、捲き付け部材２０の鍔部は、捲き付け部材２０が載置面に接触したときに、緩衝材として働く。なお、通常の状態では、捲き付け部材２０は、空きスペース内に収まっているので、知育装置１を安定して載置できる。
【００４０】
一般的に、メンブレンスイッチを利用すると空きスペースができ易く、強度が比較的弱いという不利益がある。ところが、本実施の形態では、その空きスペースをＡＶケーブル１００の収納スペースとして利用し、しかも、ＡＶケーブル１００の収納の便宜のための捲き付け部材２０を非常時の補強材として使用している。このように、メンブレンスイッチ４を利用することにより発生する空きスペースによる不利益を克服し、かつ、その空きスペースを有効利用している。
【００４１】
以上のように、本実施の形態によれば、簡易な構成で、かつ、空きスペースを利用して、ＡＶケーブル１００を収納でき、しかも、ＡＶケーブル１００を収納するための部材２０により、強度の補強を図ることができる。
【００４２】
また、本実施の形態では、使用時には、下側ハウジング３２の引き出し口２６から、ＡＶケーブル１００を外部に引き出すことができる。従って、ＡＶケーブル１００の厚みにより知育装置１がぐらつく等、載置状態が不安定になることを防止できる。
【００４３】
なお、本考案は、上記の実施の形態に限られるものではなく、その要旨を逸脱しない範囲で種々の態様において実施することが可能であり、例えば、以下のような変形も可能である。
【００４４】
（１）上記では、電子機器の一例として、知育装置１を挙げた。ただし、本考案は、知育装置１に限定されず、メンブレンスイッチ４のような厚みが薄いスイッチを搭載し、コードが必要な電子機器に適用できる。
【００４５】
（２）上記では、２つの捲き付け部材２０を用いた。ただし、捲き付け部材２０は、1つでもよいし、３以上でもよく、また、形状も上記のものに限定されず、適宜設計変更可能である。
【００４６】
（３）上記では、捲き付け部材２０の鍔部と、下側ハウジング３２の略コ字状の平坦面と、は同一の仮想平面Ｐ１上に形成された。ただし、両者を異なる仮想平面上に形成することもできる。この場合、図６の状態、つまり、知育装置１の載置状態において、捲き付け部材２０の鍔部を含む仮想平面が、下側ハウジング３２の略コ字状の平坦面を含む仮想平面より、上になるようにする。なぜなら、捲き付け部材２０の鍔部を含む仮想平面が、下側ハウジング３２の略コ字状の平坦面を含む仮想平面より、下になるならば、載置状態の安定性を害する場合があるからである。
【００４７】
（４）上記では、捲き付け部材２０は、ＡＶケーブルを捲き付けることを目的としていた。ただし、電源ケーブルが、電源ジャック２７に固定されている場合は、電源ケーブルを捲き付けるための捲き付け部材２０を凹部２４の底面に設けることもできる。このように、収納するケーブルの数に応じて、適宜捲き付け部材２０を追加して設けることもできる。
【図面の簡単な説明】
【００４８】
【図１】本考案の実施の形態における知育システムの全体構成を示す図である。
【図２】図１の知育装置１の平面図である。
【図３】図１の知育装置の電気的構成を示す図である。
【図４】図１の知育装置１の捲き付け部材２０にＡＶケーブル１００を巻きつけた状態を示す底面図である。
【図５】図１の知育装置１の捲き付け部材２０からＡＶケーブル１００をほどいた状態を示す底面図である。
【図６】図１の知育装置１のハンドル１５側の側面図である。
【符号の説明】
【００４９】
１…知育装置、３…キーボード、４…メンブレンスイッチ、２０…巻付け部材、２４…凹部、２６…引き出し口、３０…上側ハウジング、３２…下側ハウジング、５０…マルチメディアプロセッサ、１００…ＡＶケーブル、２００…テレビジョンモニタ。
【図３】
0003121684.tif 000003
【図１】
0003121684.tif 000004
【図２】
0003121684.tif 000005
【図４】
0003121684.tif 000006
【図５】
0003121684.tif 000007
【図６】
0003121684.tif 000008